(57)【要約】【課題】積層型の電極組立体を構成する正極電極及び負極電極の短絡を抑制しつつ、生産性の向上を図り得る蓄電装置及び蓄電装置の製造方法を提供する。【解決手段】正極電極２０は、正極金属箔２０ａの両面に正極活物質層２０ｂを有している。負極電極２１は、正極金属箔２０ａの外縁端面よりもはみだすように大きい負極金属箔２１ａの両面に負極活物質層を有している。電極組立体１２は、正極電極２０と負極電極２１との間にシート状のセパレータ２２が介在する状態で層状に積層されている。正極金属箔２０ａの外縁端面の一部は破断された破断部５１である。【選択図】図５
2014078446.tif 000002
【特許請求の範囲】
【請求項１】
正極金属箔の少なくとも一方の面に正極活物質層を有する正極電極と、前記正極金属箔の外縁端面よりもはみだすように大きい負極金属箔の少なくとも一方の面に負極活物質層を有する負極電極との間にセパレータが介在する状態で層状に積層された電極組立体を備える蓄電装置であって、
前記外縁端面の少なくとも一部は破断された破断部であることを特徴とする蓄電装置。
【請求項２】
前記外縁端面の一部のみが前記破断部とされており、
前記外縁端面のうち前記破断部とされた面部位とは異なる面部位は、せん断面又は溶断面である請求項１に記載の蓄電装置。
【請求項３】
前記正極金属箔は、矩形状部と、前記矩形状部の外縁端面の一部から突出した正極タブとを有し、
前記破断部は、前記矩形状部の隣り合う辺部の前記外縁端面に跨っている請求項１又は請求項２に記載の蓄電装置。
【請求項４】
前記正極金属箔は、矩形状部と、前記矩形状部の外縁端面の一部から突出した正極タブとを有し、
前記矩形状部の前記外縁端面が前記破断部とされている請求項１〜請求項３のうち何れか一項に記載の蓄電装置。
【請求項５】
正極金属箔の少なくとも一方の面に正極活物質層を有する正極電極と、前記正極金属箔よりも大きい負極金属箔の少なくとも一方の面に負極活物質層を有する負極電極との間にセパレータが介在する状態で層状に積層された電極組立体を備える蓄電装置の製造方法において、
前記正極金属箔の外縁端面から延設された延設部には、該延設部を前記正極金属箔から破断させやすい部位として破断誘導部が形成されており、
前記延設部を前記負極金属箔の外縁端面に対して重ね合わせることにより、前記正極電極を前記負極電極に対して位置決めする位置決め工程と、
前記位置決め工程において前記負極電極に対して位置決めされた前記正極電極における前記正極金属箔から前記延設部を前記破断誘導部において破断する破断工程と
を備えたことを特徴とする蓄電装置の製造方法。
【発明の詳細な説明】
【技術分野】
【０００１】
本発明は、蓄電装置及び蓄電装置の製造方法に関する。
【背景技術】
【０００２】
従来から、車両などに搭載される蓄電装置としては、リチウムイオン二次電池やニッケル水素二次電池がよく知られている。このような二次電池は、金属箔に正極活物質を塗布したシート状の正極電極と、金属箔に負極活物質を塗布したシート状の負極電極との間をセパレータで絶縁して層状とした積層型の電極組立体を有している（例えば、特許文献１参照）。
【先行技術文献】
【特許文献】
【０００３】
【特許文献１】特開平０７−２２６２３２号公報
【発明の概要】
【発明が解決しようとする課題】
【０００４】
ところで、リチウムイオン二次電池では、正極電極でのリチウムの析出を抑制するために、正極電極の活物質層の面積を相対する負極電極の活物質層の面積よりも小さく設計することが望ましい。
【０００５】
そこで、上記の二次電池において、正極電極の大きさを負極電極の大きさよりも小さく設計することが考えられる。しかしながら、この場合には、正極電極と負極電極を位置決めしつつ、正極電極、セパレータ、及び負極電極を積層するときに、積層位置がずれないようにカメラ等で正極電極の位置を検出しつつ積層する必要がある。その結果、積層工程に多大な時間を要するため、電極組立体の製造効率が低下してしまうという問題があった。
【０００６】
本発明は、このような事情に鑑みてなされたものであり、その目的は、積層型の電極組立体の製造効率を向上させることができる蓄電装置及び蓄電装置の製造方法を提供することにある。
【課題を解決するための手段】
【０００７】
上記課題を解決するため、請求項１に記載の発明は、正極金属箔の少なくとも一方の面に正極活物質層を有する正極電極と、前記正極金属箔の外縁端面よりもはみだすように大きい負極金属箔の少なくとも一方の面に負極活物質層を有する負極電極との間にセパレータが介在する状態で層状に積層された電極組立体を備える蓄電装置であって、前記外縁端面の少なくとも一部は破断された破断部であることを要旨とする。
【０００８】
これによれば、正極金属箔の外縁端面において破断部とされている部位には、当初は、正極金属箔の外縁端面から延設された延設部が後に破断される部位として存在していた。そのため、この延設部を負極金属箔の外縁端面に対して重ね合わせることにより、正極金属箔が負極金属箔よりも小さく構成された場合であっても、正極電極を負極電極に対して迅速且つ簡便に位置決めすることができる。したがって、積層型の電極組立体の製造効率を向上させることができる。
【０００９】
請求項２に記載の発明は、請求項１に記載の蓄電装置において、前記外縁端面の一部のみが前記破断部とされており、前記外縁端面のうち前記破断部とされた面部位とは異なる面部位は、せん断面又は溶断面であることを要旨とする。
【００１０】
これによれば、正極金属箔の外縁端面において破断部とされた面部位とは異なる面部位は、正極金属箔をプレス加工によってせん断する際に形成されるせん断面、又は、正極電極の金属箔をレーザ加工によって溶断する際に形成される溶断面とされている。この場合、正極金属箔の外縁端面の一部であるせん断面又は溶断面は、破断部よりも凹凸の少ない平滑面となる。また、正極金属箔の外縁端面をプレス加工又はレーザ加工によって切断する場合には、正極金属箔の外縁端面の一部であるせん断面又は溶断面が均一の形状となる。そのため、正極金属箔の外縁端面の全域が破断部とされる場合と比較して、正極金属箔の外縁端面が凹凸の少ない面として均一に成形される。したがって、正極電極と負極電極とが短絡することを抑制できる。
【００１１】
請求項３に記載の発明は、請求項１又は請求項２に記載の蓄電装置において、前記正極金属箔は、矩形状部と、前記矩形状部の外縁端面の一部から突出した正極タブとを有し、前記破断部は、前記矩形状部の隣り合う辺部の前記外縁端面に跨っていることを要旨とする。
【００１２】
これによれば、当初は、正極金属箔には、その矩形状部の外縁端面を構成する辺部に跨って延設部が延設されていた。そのため、この延設部を負極金属箔の外縁端面を構成する辺部が交差する角部に重ね合わせることにより、正極電極を負極電極に対してより迅速且つ簡便に位置決めすることができる。
【００１３】
請求項４に記載の発明は、請求項１〜請求項３のうち何れか一項に記載の蓄電装置において、前記正極金属箔は、矩形状部と、前記矩形状部の外縁端面の一部から突出した正極タブとを有し、前記矩形状部の前記外縁端面が前記破断部とされていることを要旨とする。
【００１４】
これによれば、正極タブの外縁端面が破断部とされていないため、正極金属箔から延設部を破断させる際に、正極タブが延設部と一緒になって引っ張られることがなく、正極タブがその根元部分から破断することを抑制できる。
【００１５】
請求項５に記載の発明は、正極金属箔の少なくとも一方の面に正極活物質層を有する正極電極と、前記正極金属箔よりも大きい負極金属箔の少なくとも一方の面に負極活物質層を有する負極電極との間にセパレータが介在する状態で層状に積層された電極組立体を備える蓄電装置の製造方法において、前記正極金属箔の外縁端面から延設された延設部には、該延設部を前記正極金属箔から破断させやすい部位として破断誘導部が形成されており、前記延設部を前記負極金属箔の外縁端面に対して重ね合わせることにより、前記正極電極を前記負極電極に対して位置決めする位置決め工程と、前記位置決め工程において前記負極電極に対して位置決めされた前記正極電極における前記正極金属箔から前記延設部を前記破断誘導部において破断する破断工程とを備えたことを要旨とする。
【００１６】
これによれば、正極金属箔の外縁端面から延設された延設部を負極金属箔の外縁端面に対して重ね合わせることにより、正極金属箔が負極金属箔よりも小さく構成された場合であっても、正極電極を負極電極に対して迅速且つ簡便に位置決めすることができる。また、負極電極に対する正極電極の位置決めが完了した後に正極金属箔から延設部を破断させる場合、正極金属箔から延設された延設部には破断誘導部が形成されているため、正極金属箔から延設部を容易に破断することができる。したがって、積層型の電極組立体の製造効率を向上することができる。
【発明の効果】
【００１７】
本発明によれば、積層型の電極組立体の製造効率を向上させることができる。
【図面の簡単な説明】
【００１８】
【図１】実施形態における二次電池の斜視図。
【図２】電極組立体の分解斜視図。
【図３】延設部が破断される前の正極電極の平面図。
【図４】延設部が破断された後の正極電極の平面図。
【図５】（ａ）は正極電極が負極電極に対して位置決めされた状態の電極組立体の平面図、（ｂ）は図５（ａ）に示す状態において正極電極から延設部が破断された状態の電極組立体の平面図。
【図６】別例の正極電極の平面図であって、（ａ）は延設部が破断される前の状態を示す平面図、（ｂ）は延設部が破断された後の状態を示す平面図。
【図７】別例の正極電極の平面図であって、（ａ）は延設部が破断される前の状態を示す平面図、（ｂ）は延設部が破断された後の状態を示す平面図。
【発明を実施するための形態】
【００１９】
以下、本発明を具体化した一実施形態を図１〜図５にしたがって説明する。
図１に示すように、二次電池１０には、アルミニウム製のケース１１に電極組立体１２が収容されている。ケース１１は、矩形箱状をなすケース本体１３と、ケース本体１３の開口部を閉塞する矩形平板状をなす蓋部材１４とからなる。電極組立体１２には、当該電極組立体１２との間で電気を授受するための正極端子１５と負極端子１６が電気的に接続されている。正極端子１５及び負極端子１６は、蓋部材１４からケース１１の外部に向けて突出している。なお、本実施形態の二次電池１０は、リチウムイオン電池である。
【００２０】
図２に示すように、電極組立体１２は、正極金属箔２０ａの両面に正極活物質が塗布された正極活物質層２０ｂを有する矩形シート状の正極電極２０と、正極金属箔２０ａの外縁端面よりもはみ出すように大きい負極金属箔２１ａの両面に負極活物質が塗布された負極活物質層２１ｂを有する矩形シート状の負極電極２１との間に矩形シート状のセパレータ２２が介在する状態で積層された層状の構造を有している。
【００２１】
正極電極２０は、正極金属箔２０ａの矩形状部に正極活物質層２０ｂが形成されると共に、正極活物質が塗布されていない未塗工部２０ｃが正極金属箔２０ａの矩形状部の一方の長辺部Ａ１に沿って形成されている。また、正極電極２０は、未塗工部２０ｃの一部である正極タブ２０ｄが正極金属箔２０ａの矩形状部の外縁端面の一部となる長辺部Ａ１から突出している。負極電極２１も同様に、負極金属箔２１ａの矩形状部に負極活物質層２１ｂが形成されると共に、負極活物質が塗布されていない未塗工部２１ｃが負極金属箔２１ａの矩形状部の一方の長辺部Ｂ１に沿って形成されている。また、負極電極２１は、未塗工部２１ｃの一部である負極タブ２１ｄが負極金属箔２１ａの矩形状部の外縁端面の一部となる長辺部Ｂ１から突出している。
【００２２】
そして、正極電極２０は正極タブ２０ｄが重なるようにして一定方向に積層されると共に、負極電極２１は負極タブ２１ｄが重なるようにして一定方向に積層されている。この場合、正極電極２０及び負極電極２１は、正極電極２０の正極タブ２０ｄと負極電極２１の負極タブ２１ｄとが重ならない状態で積層されている。
【００２３】
なお、正極電極２０は、正極金属箔２０ａの矩形状部の外縁端面において、正極タブ２０ｄが設けられた長辺部Ａ１の対辺となる長辺部Ａ２と、この長辺部Ａ２に隣り合う短辺部Ａ３，Ａ４とが交差する角部Ｐ１，Ｐ２（角部Ｐ２は図４参照）を含む面部位が破断部５１とされている。この破断部５１に形成される凸部５０は、正極電極２０から延設されていた延設部３０，３１（図３参照）が正極電極２０から破断されたことを示す痕跡となる。また、破断部５１は、正極金属箔２０ａの外縁端面の面が延びる方向に直交する方向から見た場合、所定の領域を有する破断面であるとも言える。
【００２４】
次に、延設部３０，３１が破断される前の正極電極２０の構成について説明する。
図３に示すように、正極金属箔２０ａの外縁端面における長辺部Ａ２の両端側には、正極金属箔２０ａの箔面に沿う方向に延びる一対の延設部３０，３１がそれぞれ延設されている。これらの延設部３０，３１は、正極電極２０の基材となる正極基材が、延設部３０，３１及び正極電極２０の外縁端面の形状に沿って金型を用いたプレス加工によって打ち抜かれることにより、正極電極２０の外縁端面から延びるように形成されている。
【００２５】
一対の延設部３０，３１のうち、一方側（図３では左側）の延設部３０は、正極金属箔２０ａの矩形状部の外縁端面のうち、長辺部Ａ２と該長辺部Ａ２に隣り合う短辺部Ａ３とに跨るように延在している。そして、延設部３０において長辺部Ａ２に沿う部分３２は、長辺部Ａ２の中央寄りに位置する端部３２ａが他の部分３２ｂよりも長辺部Ａ２からの延出量が大きい。また、延設部３０において短辺部Ａ３に沿う部分３３は、短辺部Ａ３の中央寄りに位置する端部３３ａが他の部分３３ｂよりも短辺部Ａ３からの延出量が大きい。すなわち、延設部３０において、延出量が大きいのは、延設部３０の端部となっている。なお、延設部３０において長辺部Ａ２に沿う部分３２と短辺部Ａ３に沿う部分３３とが連なる部分の外縁端面には角部３４が形成されている。また、延設部３０には、正極金属箔２０ａの矩形状部の長辺部Ａ２と短辺部Ａ３とが交差する角部Ｐ１に至るまで、各辺部Ａ２，Ａ３上にミシン目３５が形成されている。
【００２６】
また、一対の延設部３０，３１のうち、他方側（図３では右側）の延設部３１は、正極金属箔２０ａの矩形状部の外縁端面のうち、長辺部Ａ２と該長辺部Ａ２に隣り合う短辺部Ａ４とに跨るように延在している。そして、延設部３１において長辺部Ａ２に沿う部分３７は、長辺部Ａ２の中央寄りに位置する端部３７ａが他の部分３７ｂよりも長辺部Ａ２からの延出量が大きい。また、延設部３１において短辺部Ａ４に沿う部分３８は、短辺部Ａ４の中央寄りに位置する端部３８ａが他の部分３８ｂよりも短辺部Ａ４からの延出量が大きい。すなわち、延設部３１において、延出量が大きいのは、延設部３１の端部となっている。なお、延設部３１において長辺部Ａ２に沿う部分３７と短辺部Ａ４に沿う部分３８とが連なる部分の外縁端面には角部３９が形成されている。また、延設部３１の基端部位には、正極金属箔２０ａの矩形状部の長辺部Ａ２と短辺部Ａ４とが交差する角部Ｐ２に至るまで、各辺部Ａ２，Ａ４上にミシン目４０が形成されている。そして、延設部３０，３１は、破断誘導部としてのミシン目３５，４０の形成部位において正極金属箔２０ａの矩形状部から破断され易くなっている。
【００２７】
次に、延設部３０，３１が破断された後の正極電極２０の構成について説明する。
図４に示すように、正極金属箔２０ａの矩形状部の長辺方向Ｘの寸法Ｔ１は、負極金属箔２１ａの矩形状部の長辺方向Ｘの寸法Ｔ２よりも短く、且つ、正極金属箔２０ａの矩形状部の短辺方向Ｙの寸法Ｔ３は、負極金属箔２１ａの矩形状部の短辺方向Ｙの寸法Ｔ４よりも短い。そのため、正極金属箔２０ａの矩形状部の大きさは、負極金属箔２１ａの矩形状部の大きさよりも小さい。
【００２８】
また、正極金属箔２０ａの矩形状部の外縁端面において、長辺部Ａ２と該長辺部Ａ２に隣り合う短辺部Ａ３，Ａ４とが交差する角部Ｐ１，Ｐ２を含む面部位には、複数の微小な凸部５０が正極金属箔２０ａの矩形状部の外縁端面に沿う方向に距離をおいて形成されている。これらの凸部５０は、正極電極２０から延設されていた延設部３０，３１がミシン目３５，４０の形成部位において破断された場合に、破断された延設部３０，３１の断片が正極金属箔２０ａの矩形状部の外縁端面に残存することにより形成されている。そして、凸部５０は、正極電極２０の矩形状部から延設されていた延設部３０，３１が正極電極２０から破断されたことを示す痕跡となる。
【００２９】
すなわち、本実施形態では、正極金属箔２０ａの外縁端面のうち、長辺部Ａ２と短辺部Ａ３，Ａ４とが交わる角部Ｐ１，Ｐ２を含む矩形状部の外縁端面の一部の面部位のみが破断部５１とされている。その一方で、正極金属箔２０ａの外縁端面のうち、破断部５１以外の他の面部位は、延設部３０，３１及び正極電極２０が金型によって打ち抜かれる際にせん断されるせん断面５２とされている。せん断面５２は、凸部５０が形成された破断部５１と比較して凹凸が少ない面となっている。
【００３０】
なお、破断部５１に形成される凸部５０の形状は、正極金属箔２０ａの矩形状部から延設部３０，３１を破断する際に、正極金属箔２０ａと延設部３０，３１との境界となるミシン目３５，４０の形成部位に作用する力の向きや大きさ等によって変化する。そのため、破断部５１に形成される凸部５０の形状は、必ずしも、電極組立体１２を構成する各正極電極２０において互いに同一の形状になるとは限らない。
【００３１】
次に、二次電池１０の製造工程のうち、電極組立体１２の製造工程を説明する。
まず、正極基材から金型によって打ち抜かれた正極電極２０の延設部３０，３１の基端部位にミシン目３５，４０が形成される。このミシン目３５，４０の形成工程では、一例として、複数の刃部が外周に形成された円板状のブレードを正極電極２０に押し当てながら回転させることによりミシン目３５，４０が形成される。
【００３２】
そして次に、図５（ａ）に示すように、正極電極２０がセパレータ２２を介在させつつ負極電極２１に対して積層される。この場合、位置決め工程として、正極電極２０は、両延設部３０，３１における角部３４，３９が負極電極２１の外縁端面の角部に重ね合わされる。
【００３３】
すると、正極金属箔２０ａの矩形状部の長辺部Ａ２は、両延設部３０，３１において長辺部Ａ２に沿う部分３２，３７の延出量に相当する距離Ｘ１をおいて負極金属箔２１ａの矩形状部の長辺部Ｂ２に対して配置される。また、正極金属箔２０ａの矩形状部の短辺部Ａ３，Ａ４は、両延設部３０，３１において短辺部Ａ３，Ａ４に沿う部分３３，３８の延出量に相当する距離Ｘ２をおいて負極金属箔２１ａの矩形状部の短辺部Ｂ３，Ｂ４に対して配置される。
【００３４】
その結果、正極電極２０は、負極電極２１に対して各々の電極面の中心位置Ｓ１，Ｓ２が重なり合うように位置決めがなされる。そして、電極組立体１２を構成する全ての正極電極２０及び負極電極２１は、互いに位置決めがなされつつセパレータ２２を介して積層される。この場合、両延設部３０，３１の端部３２ａ，３７ａは、負極金属箔２１ａの矩形状部の長辺部Ｂ２を横切るように突出する。また、延設部３０，３１の端部３３ａ，３８ａは、負極金属箔２１ａの矩形状部の短辺部Ｂ３，Ｂ４を横切るように突出する。
【００３５】
続いて、破断工程として、負極金属箔２１ａの矩形状部の長辺部Ｂ２及び短辺部Ｂ３，Ｂ４から突出した延設部３０，３１の端部３２ａ，３３ａ，３７ａ，３８ａが把持された状態で、延設部３０，３１の端部３２ａ，３３ａ，３７ａ，３８ａが各電極２０，２１の積層方向と直交する方向に引っ張られる。
【００３６】
すると、図５（ｂ）に示すように、延設部３０，３１は、ミシン目３５，４０が形成された基端部位において正極金属箔２０ａの矩形状部から破断されて分離される。その結果、正極金属箔２０ａの矩形状部の外縁端面は、負極金属箔２１ａの矩形状部の外縁端面に対して両金属箔２０ａ，２１ａの長辺方向Ｘ及び短辺方向Ｙに距離をおいて配置される。そのため、正極金属箔２０ａの矩形状部の外縁端面は、平面視において負極金属箔２１ａの矩形状部の外縁端面によって囲まれるように配置される。なお、正極金属箔２０ａの矩形状部の外縁端面のうち延設部３０，３１が延設されていた面部位には、延設部３０，３１が破断されたことを示す痕跡となる凸部５０が形成される。
【００３７】
次に、上記のように構成された二次電池１０の作用について説明する。
本実施形態では、正極金属箔２０ａの矩形状部の外縁端面から延設される延設部３０，３１の角部３４，３９を負極金属箔２１ａの外縁端面の角部に重ね合わせることにより、正極電極２０が負極電極２１に対して位置決めがなされる。そのため、正極電極２０の大きさを負極電極２１の大きさよりも小さく設計した場合であっても、正極電極２０の位置を検出することなく、正極電極２０の中央位置と負極電極２１の中央位置を位置決めすることが可能となる。
【００３８】
また、本実施形態では、負極電極２１に対する正極電極２０の位置決めが完了した後には、正極金属箔２０ａの矩形状部から延設部３０，３１を破断させる。その結果、正極金属箔２０ａの矩形状部の外縁端面は、負極金属箔２１ａの矩形状部の外縁端面に対して両金属箔２０ａ，２１ａの長辺方向Ｘ及び短辺方向Ｙに距離をおいて配置される。
【００３９】
したがって、上記実施形態によれば、以下に示す効果を得ることができる。
（１）正極金属箔２０ａの外縁端面の少なくとも一部は破断部５１とされている。したがって、正極金属箔２０ａの外縁端面において破断部５１とされている面部位には、当初は、正極金属箔２０ａの外縁端面から延設された延設部３０，３１が後に破断される部位として存在していた。そのため、この延設部３０，３１を負極金属箔２１ａの外縁端面に対して重ね合わせることにより、正極金属箔２０ａが負極金属箔２１ａよりも小さく構成された場合であっても、正極電極２０を負極電極２１に対して迅速且つ簡便に位置決めすることができる。その結果、電極組立体１２の製造工程における正極電極２０、負極電極２１、及びセパレータ２２の積層工程に要する所要時間が短縮される。したがって、積層型の電極組立体１２の製造効率を向上させることができる。
【００４０】
（２）負極電極２１に対する正極電極２０の位置決めが完了した後には、正極金属箔２０ａから延設部３０，３１を破断させる。そのため、積層された正極電極２０、負極電極２１、及びセパレータ２２の間で若干の位置ずれを生じたとしても、正極電極２０と負極電極２１とが短絡することを抑制できる。
【００４１】
（３）正極金属箔２０ａの外縁端面において破断部５１とされた面部位とは異なる面部位は、正極金属箔２０ａをプレス加工によってせん断する際に形成されるせん断面５２とされている。この場合、正極金属箔２０ａの外縁端面の一部であるせん断面５２は、破断部５１よりも凹凸の少ない面となる。また、正極金属箔２０ａの外縁端面をプレス加工によって切断する場合には、正極金属箔２０ａの外縁端面の一部であるせん断面５２が均一の形状となる。そのため、正極金属箔２０ａの外縁端面の全域が破断部５１とされる場合と比較して、正極金属箔２０ａの外縁端面が凹凸の少ない面として均一に成形される。したがって、正極電極２０と負極電極２１とが短絡することを更に確実に抑制できる。
【００４２】
（４）正極金属箔２０ａの矩形状部の外縁端面において、長辺部Ａ２及びこの長辺部Ａ２に隣り合う短辺部Ａ３，Ａ４が交差する角部Ｐ１，Ｐ２を含む面部位が破断部５１とされている。したがって、当初は、正極金属箔２０ａの矩形状部において長辺部Ａ２とこの長辺部Ａ２に隣り合う短辺部Ａ３，Ａ４に跨って延設部３０，３１が延設されていた。そのため、この延設部３０，３１を負極金属箔２１ａの矩形状部において長辺部Ｂ２及びこの長辺部Ｂ２が隣り合う短辺部Ｂ３，Ｂ４が交わる角部に重ね合わせることにより、正極電極２０を負極電極２１に対してより迅速且つ簡便に位置決めすることができる。
【００４３】
（５）正極金属箔２０ａの矩形状部の外縁端面の一部が破断部５１とされている。ここで、正極タブ２０ｄの外縁端面を破断部とした場合、正極タブ２０ｄが延設部３０，３１とともに引っ張られ、破断する虞がある。しかし、本実施形態では、正極タブ２０ｄの外縁端面が破断部５１とされていないため、正極金属箔２０ａから延設部３０，３１を破断させる際に、正極タブ２０ｄが延設部３０，３１と一緒になって引っ張られることがなく、正極タブ２０ｄがその根元部分から破断することを抑制できる。
【００４４】
（６）正極金属箔２０ａの外縁端面から延設された延設部３０，３１の基端部位には、延設部３０，３１を正極金属箔２０ａから破断させやすい部位としてミシン目３５，４０が形成されている。したがって、正極金属箔２０ａから延設部３０，３１を容易に破断することができる。
【００４５】
（７）延設部３０，３１は、負極金属箔２１ａの矩形状部の長辺部Ｂ２及び短辺部Ｂ３，Ｂ４から突出しているため、延設部３０，３１を容易に引っ張ることができる。
（８）延設部３０，３１において、延出量が大きいのは、延設部３０，３１の端部となっているため、延設部３０，３１を容易に破断することができる。
【００４６】
なお、実施形態は、以下のように変更してもよい。
○  図６（ａ）に示すように、延設部３０，３１の端部３２ａ，３７ａにおける長辺部Ａ２からの延出量が、延設部３０，３１において長辺部Ａ２に沿う他の部分３２ｂ，３７ｂにおける長辺部Ａ２からの延出量と等しく構成されてもよい。また、延設部３０，３１の端部３３ａ，３８ａにおける短辺部Ａ３，Ａ４からの延出量が、延設部３０，３１において短辺部Ａ３，Ａ４に沿う他の部分３３ｂ，３８ｂにおける短辺部Ａ３，Ａ４からの延出量と等しく構成されてもよい。すなわち、延設部３０，３１の端部３２ａ，３３ａ，３７ａ，３８ａは、正極電極２０が負極電極２１に対して積層された場合に、負極金属箔２１ａの矩形状部の長辺部Ｂ２及び短辺部Ｂ３，Ｂ４から突出しない構成としてもよい。
【００４７】
この構成では、図６（ｂ）に示すように、正極金属箔２０ａの矩形状部から延設部３０，３１が破断された場合には、正極金属箔２０ａの矩形状部の外縁端面のうち、長辺部Ａ２と短辺部Ａ３，Ａ４とが交わる角部Ｐ１，Ｐ２を含む面部位が破断部５１とされる。なお、この場合、電極組立体１２を構成する正極電極２０がセパレータ２２を介して負極電極２１に対して一枚ずつ積層される毎に、積層された正極電極２０における正極金属箔２０ａの矩形状部から延設部３０，３１を破断することが望ましい。
【００４８】
○  図７（ａ）に示すように、正極金属箔２０ａの外縁形状を、負極金属箔２１ａの外縁形状と同一の形状となるように構成すると共に、この正極金属箔２０ａの外縁端面の周辺部にミシン目６０を形成してもよい。この場合、ミシン目６０は、正極金属箔２０ａの矩形状部の外縁端面の周辺部のうち、正極タブ２０ｄが形成された部分Ｒを除いた全域に正極金属箔２０ａの矩形状部の長辺部Ａ１，Ａ２及び短辺部Ａ３，Ａ４に沿って形成されている。また、ミシン目６０は、正極金属箔２０ａの矩形状部の外縁端面の周辺部のうち、正極タブ２０ｄが形成された部分Ｒに、正極タブ２０ｄの突出方向に沿うようにして正極金属箔２０ａの矩形状部の長辺部Ａ１に至るまで延びるように形成されている。
【００４９】
この構成では、図７（ｂ）に示すように、正極金属箔２０ａがミシン目６０において破断された場合には、正極金属箔２０ａの矩形状部の外縁端面を構成する辺部Ａ１’，Ａ２’，Ａ３’，Ａ４’が破断部５１とされる。また、正極金属箔２０ａの外縁端面には、正極タブ２０ｄの外縁端面を含む面部位の一部も破断部５１とされる。なお、この場合、電極組立体１２を構成する正極電極２０がセパレータ２２を介して負極電極２１に対して一枚ずつ積層される毎に、積層された正極金属箔２０ａをミシン目６０において破断することが望ましい。
【００５０】
○  実施形態において、延設部３０，３１は、正極金属箔２０ａの矩形状部の長辺部Ａ２と該長辺部Ａ２に隣り合う短辺部Ａ３，Ａ４とが交わる角部Ｐ１，Ｐ２のうち片側の角部に設けられてもよい。
【００５１】
○  実施形態において、延設部３０，３１は、正極金属箔２０ａの矩形状部の外縁端面において、正極タブ２０ｄが形成された一方の長辺部Ａ１と該長辺部Ａ１に隣り合う短辺部Ａ３，Ａ４とが交わる角部に設けられてもよい。
【００５２】
○  実施形態において、延設部３０，３１は、必ずしも、正極金属箔２０ａの矩形状部の長辺部Ａ１，Ａ２と短辺部Ａ３，Ａ４とが交わる角部に設けられる必要はない。すなわち、正極金属箔２０ａの矩形状部の長辺部Ａ１，Ａ２の途中位置と、正極金属箔２０ａの矩形状部の短辺部Ａ３，Ａ４の途中位置とに延設部を別々に設けてもよい。
【００５３】
この場合、正極金属箔２０ａの矩形状部から延設部が破断されると、正極金属箔２０ａの矩形状部の外縁端面は、長辺部Ａ１，Ａ２と短辺部Ａ３，Ａ４とが交わる角部を含まない面部位が破断部とされる。
【００５４】
○  実施形態において、延設部３０，３１は、正極電極２０の基材となる正極基材が、延設部３０，３１を含む正極電極２０の外縁端面の形状に沿ってレーザ加工によって溶断されることにより、正極電極２０の一部を構成するように形成されてもよい。この場合、正極金属箔２０ａの外縁端面のうち、破断部５１以外の他の面部位は、破断部５１と比較して凹凸が少ない溶断面とされる。
【００５５】
○  実施形態において、正極電極２０及び負極電極２１の形状は、矩形シート状に限定されず、他の形状に適宜変更可能である。
○  実施形態において、正極電極２０及び負極電極２１は、活物質層２０ｂ，２１ｂが両金属箔２０ａ，２１ａの両面ではなく片面に形成されてもよい。この場合、正極電極２０の正極活物質層２０ｂ及び負極電極２１の負極活物質層２１ｂが、セパレータ２２を介在させて対向するように積層されることにより電極組立体１２が構成される。
【００５６】
○  実施形態において、負極金属箔２１ａは、正極金属箔２０ａよりも大きい構成としたが、正極タブ２０ｄを覆うほど負極金属箔２１ａが大きいことを意味しない。あくまでも、正極金属箔２０ａの矩形状部と、負極金属箔２１ａの矩形状部を比較した場合に、負極金属箔２１ａの矩形状部の方が大きいことを意味している。また、正極金属箔２０ａの矩形状部に形成された正極活物質層２０ｂよりも、負極金属箔２１ａの矩形状部に形成された負極活物質層２１ｂの方が大きくなっている。
【００５７】
○  実施形態において、二次電池１０はリチウムイオン二次電池であったが、これに限らず、ニッケル水素等の他の二次電池であってもよい。
○  蓄電装置は、二次電池１０に限らず、例えば、電気二重層キャパシタやリチウムイオンキャパシタ等のようなキャパシタであってもよい。
【符号の説明】
【００５８】
Ａ１，Ａ２…辺部としての長辺部、Ａ３，Ａ４…辺部としての短辺部、Ｐ１，Ｐ２…角部、１０…蓄電装置としての二次電池、１２…電極組立体、２０…正極電極、２０ａ…正極金属箔、２０ｂ…正極活物質層、２０ｄ…正極タブ、２１…負極電極、２１ａ…負極金属箔、２１ｂ…負極活物質層、２２…セパレータ、３０，３１…延設部、３５，４０…破断誘導部としてのミシン目、５１…破断部、５２…せん断面、６０…破断誘導部としてのミシン目。
【図１】
2014078446.tif 000003
【図２】
2014078446.tif 000004
【図３】
2014078446.tif 000005
【図４】
2014078446.tif 000006
【図５】
2014078446.tif 000007
【図６】
2014078446.tif 000008
【図７】
2014078446.tif 000009